(57)【要約】【課題】メモリにダウンロードした外部データの削除に伴うユーザの負担を軽減することが出来る映像再生装置を提供する。【解決手段】本発明に係る映像再生装置１は、サーバーからダウンロードされる外部データを格納すべきメモリ５、６と、メモリ５、６に対する外部データの格納、削除を制御するコントローラ13とを具え、コントローラ13は、外部データの再生中に、外部データの再生中である旨をユーザに報知すると共に、リモートコントロール操作器17の操作に応じて、再生中の外部データに対して、該外部データを削除する際の優先度に関する情報を付加する。【選択図】図２
2007221504.tif 000002
【特許請求の範囲】
【請求項１】
記録媒体からデータを読み出して映像を再生する機能と、記録媒体から読み出されるデータに応じて所定のサーバーから外部データをダウンロードする機能とを有する映像再生装置において、
サーバーからダウンロードされる外部データを格納すべきデータ格納手段と、
データ格納手段に格納されている外部データに関するデータ管理情報を保持するデータ管理手段と、
データ格納手段に格納されている外部データを読み出して再生する外部データ再生手段と、
外部データの再生中に、外部データの再生中である旨をユーザに報知する報知手段と、
外部データの再生中に、入力手段からの入力信号を受けて、前記外部データ管理手段に保持されている該外部データについてのデータ管理情報に対し、該外部データを削除する際の優先度に関する情報を付加する情報付加手段
とを具えていることを特徴とする映像再生装置。
【請求項２】
更に、外部データを削除するデータ削除手段を具え、該データ削除手段は、前記データ管理情報に付与されている優先度に関する情報に従って、削除すべき外部データを決定する請求項１に記載の映像再生装置。
【請求項３】
前記情報付加手段は、データ削除を優先的に行なうべきでない外部データについてのデータ管理情報に対し、前記優先度に関する情報として、ロック情報を付加するものである請求項１又は請求項２に記載の映像再生装置。
【請求項４】
前記データ削除手段は、新たな外部データのダウンロード時に、該外部データのサイズをデータ格納手段の残り容量と比較して、容量が不足しているときに限り、ロック情報が付与されている外部データの中からユーザによって選択された外部データを削除し、若しくはロック情報が付与されている外部データの中で最も記録日時が古い外部データを削除する請求項３に記載の映像再生装置。
【請求項５】
前記外部データ再生手段は、記録媒体から読み出されるデータによる指示に応じて、データ格納手段に格納されている外部データを読み出して再生する請求項１乃至請求項４の何れかに記載の映像再生装置。
【請求項６】
前記報知手段は、記録媒体から再生される映像の表示画面に、外部データの再生中である旨を表示するものである請求項１乃至請求項５の何れかに記載の映像再生装置。
【発明の詳細な説明】
【技術分野】
【０００１】
本発明は、ディスクプレーヤの如く、記録媒体からデータを読み出して映像を再生する映像再生装置に関するものである。
【背景技術】
【０００２】
近年、通信網(インターネット)を介して所定のサーバーに接続する機能を有するディスクプレーヤが開発されており、この種のディスクプレーヤにおいては、光ディスクからメディアデータを再生する機能の他に、光ディスクからのメディアデータの再生に伴って所定のサーバーから外部データをダウンロードする機能を有し、再生せんとする光ディスクに関連するコンテンツ(外部データ)を、遠隔地のサーバーから通信網を経てダウンロードした後、光ディスクの再生と同期させて、ダウンロードしたコンテンツをディスプレイに表示することが行なわれる(特許文献１参照)。
【特許文献１】特開２００３−２１９３４４号公報［H04N5/85］
【発明の開示】
【発明が解決しようとする課題】
【０００３】
しかしながら、通信網を介して所定のサーバーと接続する機能を有する従来のディスクプレーヤにおいては、サーバーからダウンロードされた外部データは、フラッシュメモリに保存されることになるが、フラッシュメモリには容量の制限があるため、特にサーバーからダウンロードせんとする外部データが映像データを含んでいる場合には、容量の制限を受けてダウンロードを実行することが出来ない事態が発生する。
【０００４】
そこで、ユーザは、フラッシュメモリに必要な容量を確保するために不要な外部データを削除することが必要となるが、何れの外部データが不要であるかを判断するためには、メモリにダウンロードした外部データの全てについて、再度、ディスクを再生して、各外部データの内容を確認せねばならず、操作が極めて煩雑となる問題があった。
【０００５】
本発明の目的は、メモリにダウンロードした外部データの削除に伴うユーザの負担を軽減することが出来る映像再生装置を提供することである。
【課題を解決するための手段】
【０００６】
本発明に係る映像再生装置は、記録媒体からデータを読み出して映像を再生する機能と、記録媒体から読み出されるデータに応じて所定のサーバーから外部データをダウンロードする機能とを有し、
サーバーからダウンロードされる外部データを格納すべきデータ格納手段と、
データ格納手段に格納されている外部データに関するデータ管理情報を保持するデータ管理手段と、
データ格納手段に格納されている外部データを読み出して再生する外部データ再生手段と、
外部データの再生中に、外部データの再生中である旨をユーザに報知する報知手段と、
外部データの再生中に、入力手段からの入力信号を受けて、前記外部データ管理手段に保持されている該外部データについてのデータ管理情報に対し、該外部データを削除する際の優先度に関する情報を付加する情報付加手段
とを具えている。
【０００７】
上記本発明の映像再生装置によれば、ユーザは、記録媒体の再生に伴って外部データが再生される過程で、該外部データの重要性(長期保存の要否)を判断して、出来るだけ該外部データの削除を回避したい場合は、所定の操作を行なうことにより、該外部データについてのデータ管理情報に対し、該外部データを削除する際の優先度に関する情報が付加される。
【０００８】
従って、その後、記録媒体の再生に伴って新たな外部データが再生されることとなった場合には、優先度に関する情報を含むデータ管理情報に基づいて、重要度の低い外部データから自動的に削除を行ない、或いは、データ管理情報を表示することによって、ユーザは、削除すべき外部データを容易に選択して削除操作を行なうことが出来る。
【０００９】
具体的には、更に、外部データを削除するデータ削除手段を具え、該データ削除手段は、前記データ管理情報に付与されている優先度に関する情報に従って、削除すべき外部データを決定する。
【００１０】
具体的構成において、前記情報付加手段は、データ削除を優先的に行なうべきでない外部データについてのデータ管理情報に対し、前記優先度に関する情報として、ロック情報を付加するものである。
【００１１】
ここで、前記データ削除手段は、新たな外部データのダウンロード時に、該外部データのサイズをデータ格納手段の残り容量と比較して、容量が不足しているときに限り、ロック情報が付与されている外部データの中からユーザによって選択された外部データを削除し、若しくはロック情報が付与されている外部データの中で最も記録日時が古い外部データを削除する。
【００１２】
これによって、データ格納手段には、新たにダウンロードすべき外部データを格納するために必要な容量が確保され、該外部データのダウンロードが可能となる。
【発明の効果】
【００１３】
本発明に係る映像再生装置によれば、ユーザは、記録媒体の再生に伴って外部データが再生される過程で、該外部データの重要性を判断して、必要に応じて該外部データに優先度に関する情報を付加するための操作を行なっておけば、その後に新たにダウンロードされる外部データの格納領域を自動的に若しくは簡易な操作で確保することが出来るので、外部データの削除に必要となるユーザの負担は著しく軽減される。
【発明を実施するための最良の形態】
【００１４】
以下、本発明の実施の形態につき、図面に沿って具体的に説明する。
図１に示す如く、本発明に係る映像再生装置(１)は、映像表示及び音声出力機能を有する映像表示装置(２)と接続された状態で、光ディスクを再生して映像を映像表示装置(２)の画面に表示するものであって、インターネット等のネットワーク(３)を介して、所定のコンテンツ提供サーバー(４)に接続することが可能となっている。
【００１５】
映像再生装置(１)は、図２に示す如く、マイクロコンピュータから構成されるコントローラ(13)を具えると共に、光ディスクの再生によって得られるメディアデータと、前記サーバー(４)からダウンロードされる外部データとを取得するデータ取得部(11)を具え、取得された各種のデータを、ストリームパーサ(12)を経て、映像データ処理部(14)と音声データ処理部(15)へ供給し、これによって得られる映像データと音声データが前記映像表示装置(２)へ出力される。又、補助出力部(16)を経てＶＦＤ(Vacuum  Fluorescent  Display)等へ補助表示のためのデータが出力される。
【００１６】
更に、映像再生装置(１)には、外部データ等を格納するための内部メモリ(５)が設けられ、該内部メモリ(５)にはデータ通信部(10)を介して、外部データ等を格納するための外部メモリ(６)が接続されている。
又、映像再生装置(１)は、リモートコントロール操作器(17)を具え、該リモートコントロール操作器(17)の操作によって入力されたデータは、マイクロコンピュータから構成されるコントローラ(13)へ供給される。そして、コントローラ(13)によって、データ取得部(11)、ストリームパーサ(12)、映像データ処理部(14)、音声データ処理部(15)、補助出力部(16)及びデータ通信部(10)の動作が制御されると共に、内部メモリ(５)及び外部メモリ(６)による外部データの格納動作やデータ削除動作が制御される。
【００１７】
ここで、内部メモリ(５)及び外部メモリ(６)に格納されている外部データは、図６に示す管理メニューテーブルによって管理されている。
該管理メニューテーブルには、内部メモリ(５)と外部メモリ(６)のそれぞれについて、ロック情報Ｌｏｃｋ、データ名ＤａｔａＮａｍｅ、データサイズＳｉｚｅ等の格納領域が設けられている。ここで、ロック情報Ｌｏｃｋは、出来るだけ削除を回避したい外部データに付与されるものであって、図６中には※印で表わされている。
【００１８】
図２に示す映像再生装置(１)においては、通常再生モードにて、ディスクから読み出されたメディアデータは、データ取得部(11)及びストリームパーサ(12)を経て、映像データは映像データ処理部(14)へ、音声データは音声データ処理部(15)へ供給される。
この過程で、ディスクから読み出されたデータの指示によって外部データのダウンロードが行なわれると、ダウンロードされた外部データは、データ取得部(11)及びストリームパーサ(12)を経て、内部メモリ(５)又は外部メモリ(６)に格納された後、ディスクから読み出されるデータと同期し若しくは非同期で、内部メモリ(５)又は外部メモリ(６)から読み出され、映像データは映像データ処理部(14)へ、音声データは音声データ処理部(15)へ供給される。
【００１９】
この結果、映像表示装置(２)の画面には、ディスクから再生された映像が表示されると共に、所定のタイミングで、図５に示す如く、ダウンロードされた外部データの映像が表示されることになる。
【００２０】
図３は、通常再生中にダウンロードすべき外部データが存在する場合の外部データに対するロック情報の付与処理を表わしている。
先ずステップＳ１では、ダウンロードすべき外部データが存在するか否かを判断し、ここでイエスと判断されたときは、該外部データをダウンロードして、ステップＳ２にて、ダウンロードした外部データを内部メモリ(５)又は外部メモリ(６)に書き込んだ後、ステップＳ３へ移行する。尚、外部データの書き込み処理については、図４を用いて後述する。
【００２１】
ダウンロードすべき外部データが存在せず、ステップＳ１にてノーと判断されたときは、ステップＳ３にて、メモリに格納されている外部データの再生が指示されたか否かを判断し、ここでノーと判断されたときは通常再生に戻る。
【００２２】
メモリに格納されている外部データの再生が指示されて、ステップＳ３にてイエスと判断されたときは、ステップＳ４に移行して、外部メモリ(６)が存在し、且つ外部メモリ(６)に内部メモリ(５)と同じ内容の外部データが格納されているか否かを判断する。
ここでイエスと判断されたときはステップＳ５にて内部メモリ(５)の外部データを選択した上で、ステップＳ６に移行して、外部データの再生中であることをユーザに報知する。
【００２３】
報知の手段としては、図５に示す如く、映像表示装置(２)の画面上に、外部データの再生画面に重ねて、外部データの再生中である旨のメッセージＡやアイコンを表示し、或いは画面に透過色処理を施す方法、補助ディスプレイにその旨を表示する方法、音声メッセージを出力する方法、効果音を発生させる方法、リモートコントロール操作器(17)のＬＥＤを点灯させる方法、リモートコントロール操作器(17)を振動させる方法などを採用することが出来る。
【００２４】
次に図３のステップＳ７では、リモートコントロール操作器(17)によってロック情報の付与を指示する操作が行なわれたか否かを判断し、ここでイエスと判断されたときは、ステップＳ８にて、外部メモリ(６)が存在し、且つ外部メモリ(６)に内部メモリ(５)と同じ内容の外部データが格納されているか否かを判断する。
ステップＳ８にてノーと判断されたときは、ステップＳ９にて内部メモリ(５)内の外部データにロック情報を付与して該外部データをロックするのに対し、ステップＳ８にてイエスと判断されたときは、ステップＳ１０にて内部メモリ(５)及び外部メモリ(６)の両外部データにロック情報を付与して両外部データをロックする。
【００２５】
その後、ステップＳ１１では、メモリ内の外部データの再生が終了したか否かを判断し、ここでノーと判断されたときはステップＳ７に戻って、同様の処理を繰り返す。
メモリ内の外部データの再生が終了して、ステップＳ１１でイエスと判断されたときは、ステップＳ１２に移行して、外部データ再生中の報知を解除した後、通常再生に戻る。
【００２６】
上述の処理によれば、ユーザは、ディスクの再生に伴って外部データが再生される過程で、図５の如く映像表示装置(２)の画面に表示されている外部データの映像を観ながらその重要性を判断し、必要に応じて該外部データにロック情報を付加するための操作を行なうことにより、図６の如く内部メモリ(５)及び外部メモリ(６)に格納されている外部データについて、ロック情報を含む管理メニューテーブルが作成されることになる。
ここで、映像表示装置(２)の画面に表示されている映像がメディアデータの映像でなく、外部データの映像であることは、外部データ再生中の表示Ａを確認することにより、容易に判断することが出来る。
【００２７】
図４は、通常再生中にダウンロードすべき外部データが存在する場合に該外部データをメモリに書き込む処理を表わしている。
先ずステップＳ２１にて、ダウンロードすべき外部データが存在するか否かを判断し、ここでノーと判断されたときは、通常再生に戻る。
【００２８】
ダウンロードすべき外部データが存在して、ステップＳ２１にてイエスと判断されたときは、外部メモリ(６)が存在するか否かを判断し、ここでイエスと判断されたときは、ステップＳ２３にてメモリの合計サイズとして内部メモリ(５)と外部メモリ(６)の空き容量の和を設定し、ノーと判断されたときは、ステップＳ２４にてメモリの合計サイズとして内部メモリ(５)の空き容量を設定する。
【００２９】
次にステップＳ２５では、外部データは既に内部メモリ(５)又は外部メモリ(６)に記録されているデータと同一であるか否かを判断し、ここでイエスと判断されたときは通常再生に戻る。
一方、外部データが内部メモリ(５)又は外部メモリ(６)に記録されているデータと一致せず、ステップＳ２５にてノーと判断されたときは、ステップＳ２６に移行して、外部データのサイズが前記合計サイズよりも大きいか否かが判断される。
【００３０】
ステップＳ２６にてイエスと判断されたときはステップＳ２７に移行し、内部メモリ(５)又は外部メモリ(６)にロック情報の付与されていない非ロックデータが存在するか否かが判断される。
ここでノーと判断されたときはステップＳ２８にて管理メニューテーブルを開いて画面に表示する。そして、ユーザが管理メニューテーブルの中から削除すべき外部データを選択する操作を行なうと、選択された外部データを削除した後、ステップＳ２６に戻って同じ処理を繰り返す。
一方、内部メモリ(５)又は外部メモリ(６)にロック情報の付与されていない非ロックデータが存在する場合は、ステップＳ２９にて、最も記録日時の古い非ロックデータを削除した後、ステップＳ２６に戻って同じ処理を繰り返す。
【００３１】
この様にして内部メモリ(５)及び外部メモリ(６)の空き容量が拡大されて、外部データのサイズが両メモリの合計サイズよりも小さくなり、ステップＳ２６にてノーと判断されたときは、ステップＳ３０に移行して、外部データを内部メモリ(５)又は外部メモリ(６)に書き込んだ後、通常再生に戻る。
【００３２】
上記処理によれば、内部メモリ(５)又は外部メモリ(６)に格納されている外部データが全てロックされているときには、ユーザが管理メニューテーブルの表示に基づいて適当な外部データを選択して削除することにより、メモリ空き容量の拡大が図られる。又、１或いは複数の外部データがロックされていなければ、その非ロックデータが記録日時の古い順序で自動的に削除されて、メモリ空き容量の拡大が図られる。この結果、新たな外部データのダウンロード並びにメモリへの格納が可能となる。
【００３３】
上述の如く本発明に係る映像再生装置(１)によれば、ユーザは、ディスクの再生に伴って外部データが再生される過程で、該外部データにロック情報を付加するための操作を行なうだけで、その後に新たにダウンロードされる外部データの格納領域を自動的に若しくは簡易な操作で確保することが出来るので、外部データの削除に必要となるユーザの負担は著しく軽減される。
【図面の簡単な説明】
【００３４】
【図１】本発明に係る映像再生装置を用いた映像再生システムの構成を示す図である。
【図２】該映像再生装置の構成を示すブロック図である。
【図３】該映像再生装置における外部データに対するロック情報の付与処理を表わすフローチャートである。
【図４】該映像再生装置において外部データをメモリに書き込む処理を表わすフローチャートである。
【図５】外部データの再生画面に外部データの再生中であることを報知する表示例を示す図である。
【図６】管理メニューテーブルのデータ構造を説明する図である。
【符号の説明】
【００３５】
(１)  映像再生装置
(２)  映像表示装置
(３)  通信網
(４)  サーバー
(５)  内部メモリ
(６)  外部メモリ
(13)  コントローラ
(17)  リモートコントロール操作器
【図１】
2007221504.tif 000003
【図２】
2007221504.tif 000004
【図３】
2007221504.tif 000005
【図４】
2007221504.tif 000006
【図５】
2007221504.tif 000007
【図６】
2007221504.tif 000008